(57)【特許請求の範囲】
【請求項１】
タッチパネルからなり、画面上に表示される選択肢を入退場者自身が選択することにより入退場者情報が登録される入力装置と、
登録された入退場者情報に基づいて各入退場者に固有のバーコードを出力するバーコード出力手段と、
バーコード出力手段により出力された各入退場者に固有のバーコードと、
入退場ゲートの入口側および出口側にそれぞれ設けられ、入退場を検知する二つの入退場検出器と、
入退場ゲートの二つの入退場検出器の間に読み取り範囲を有し、入退場者のヘルメットないし服に設けられたバーコードを非接触で読み取るバーコードリーダーと、
二つの入退場検出器のうち入口側の入退場検出器が先に検知した場合には入場と判別し、その後バーコードリーダーにより読み取られたバーコードの所有者を入場者として特定する一方、二つの入退場検出器のうち出口側の入退場検出器が先に検知した場合には退場と判別し、その後バーコードリーダーにより読み取られたバーコードの所有者を退場者として特定する制御装置と、
制御装置により制御され、入退場者に関する所定の表示ないし出力を行う表示・出力装置と、
制御装置により制御され、入退場者情報や入退場履歴情報等を記憶する記憶装置と、
前記二つの入退場検出器の間に設けられた赤外線ないし超音波式の物体検出器からなり、バーコードリーダー読み取り範囲を入退場者が通過する間、バーコードリーダーを作動させる照射タイミングセンサーと
を備えることを特徴とする入退場管理システム。
【請求項２】
前記バーコードが入退場者のヘルメットの左右両側面に設けられている
ことを特徴とする請求項１に記載の入退場管理システム。
【請求項３】
前記表示・出力装置は、制御装置の処理に基づいて各種日報、月報、一覧表や、法令に基づいた帳票等を印刷する
ことを特徴とする請求項１又は２に記載の入退場管理システム。
【請求項４】
前記表示・出力装置が出力する帳票は、労働基準法や労働安全衛生法に基づく、労働者賃金支払報告書、新規入場者教育カード、入場時教育台帳、安全ミーティング危険予知活動報告書及び死傷統計表等である
ことを特徴とする請求項３に記載の入退場管理システム。
【請求項５】
前記入退場検出器は、赤外線ないし超音波センサー等からなる
ことを特徴とする請求項１から請求項４までのいずれかに記載の入退場管理システム。
【請求項６】
前記入退場検出器は、リミットスイッチとされている
ことを特徴とする請求項１から請求項４までのいずれかに記載の入退場管理システム。
【請求項７】
建築、土木現場や一般事業所等内の複数箇所に、前記入退場ゲートが設けられることで、各セクションへの人の流れの管理や安全管理が可能に構成された
ことを特徴とする請求項１から請求項６までのいずれかに記載の入退場管理システム。
【請求項８】
前記入退場者は、各種車両を備え、
この車両に、前記バーコードが備えられて車両の運行管理等がなされる
ことを特徴とする請求項１から請求項７までのいずれかに記載の入退場管理システム。
【発明の詳細な説明】
【０００１】
【発明の属する技術分野】
この発明は、建設工事現場等への人や車両の出入り、或いは会社の入出勤等を自動的に管理する入退場管理システムに関するものである。
【０００２】
【従来の技術】
建設工事現場事業所への入退場、トンネルやシールド工事現場作業所への入出坑、及び建築現場作業所への入退場等を自動的に管理する方法として、従来、入退場者（作業者等）に、音波や電波（マイクロ波等）の発信器の付いたカードを所持させておき、そのカードからの信号の受信によって出入りを把握することが行われている。
【０００３】
【発明が解決しようとする課題】
しかしながら、従来の方法では、発信器から出される音波や電波をキャッチする受信器は、電気的ノイズの影響を受け易く、誤動作することがあった。
また、発信器には電源電池が必要であり、それが消耗する前に電池を交換しなければ所期の動作が期待できず、それ故、一定期間毎に電池交換が必要で、発信器の定期的保守管理が必要不可欠であった。
さらに、電池付きの発信器を備えるカードを入退場者の各々に携帯させ、しかもそれについて定期点検が必要であったので、高コストになるのを避けられなかった。
【０００４】
また、従来の方法では、最初の入場時に、氏名や住所、免許や資格、健康状態等の情報を所定のカードに記入してもらい、その個人マスター（個人データー）をキーボードからパソコンに直接入力していたので、１人しか操作できず時間を要するものであり、作業効率が悪かった。しかも、キーボード操作に不慣れな場合には、作業効率を一層低下させていた。このように、従来は、データー入力に関して新規入場者ごとに管理表等を用いて、パソコン操作可能者が入力しなければならなかった。よって、誰でも簡易に、しかも複数人が同時に入力することができ、初期入力時間の短縮を図ることのできるシステムが要望されていた。
【０００５】
さらに、従来の方法では、労働基準法や労働安全衛生法に基づく各種書類を作成することはできなかった。このため、従来は、入退場の履歴情報をもとに出力した集計表から必要部分を抜粋して、所定の用紙に書き移さなければならず、管理者及び就労者双方の書類作成に著しく手間を要し、また記入ミス等が発生するおそれもあった。
【０００６】
この発明は、これらの事情に鑑みてなされたものであり、その主たる目的は、低コストで誤動作なく長期間に渡り安定して使用できると共に、ハードウェア及びソフトウェアで構成されるシステム自体のコストダウンを図ることができ、且つ、就労、労務及び安全管理の省力化が可能で、トータルコストの低減を図ることのできる入退場管理システムを提供することにある。なお、このシステムは、建設工事現場等への入退場のみならず、一般的タイムカード等に代えて、会社への入出勤の把握等にも対応可能なものが望ましい。
【０００７】
【課題を解決するための手段】
上記課題を解決するために、本発明の帳票打ち出し可能な入退場管理システムは、基本的構成として、以下のものを備える。
（１）入退場者情報を入力するための入力装置。なお、この入力は、入退場者自身で行うのが好ましい。
（２）各入退場者に固有の形式で作成されたバーコード。例えば、制御装置により制御された出力装置により、入退場者情報に基づいて各入退場者に固有のバーコードが印刷される。
（３）入退場ゲートに設けられ、入退場を検知する入退場検出器。例えば、入退場ゲートの入口及び出口付近にそれぞれ設けられる。
（４）入退場ゲートに設けられ、入退場者のヘルメットないし服等に設けられたバーコードを非接触で読み取るバーコードリーダー。
（５）前記入退場検出器によって、入場又は退場のいずれかを判別すると共に、バーコードリーダーの読み取り信号によって入退場者を特定する制御装置。
（６）制御装置により制御され、入退場者に関する所定の表示を行う表示装置。
（７）制御装置により制御され、入退場者情報や入退場履歴情報等を記憶する記憶装置。
（８）制御装置の処理に基づいて各種日報、月報、一覧表や、法令に基づいた帳票等を印刷する出力装置。なお、この機能は、省略してもよい場合がある。
【０００８】
なお、好ましくは、上記基本的構成に加えて、前記入力装置は、同時入力可能な複数台のタッチパネル、スキャナー、マークシート、音声等による入力方式とされており、入力装置からの入退場者情報の入力は、入退場者自身により行われ、前記入退場検出器は、赤外線ないし超音波センサー等からなる。さらに、前記入退場検出器は、入退場ゲートの入口及び出口付近にそれぞれ設けられ、この出入口の入退場検出器の間に、バーコードリーダー読み取り範囲付近の入退場者の通過に合わせてバーコードリーダーを作動させる照射タイミングセンサーが設けられていることを特徴とする帳票打ち出し可能な入退場管理システムとしてもよい。
なお、前記各入退場検出器は、リミットスイッチとしてもよい。
また、前記基本的構成に加えて、前記入退場検出器の検出信号に基づいて、バーコードリーダーが所定時間だけ作動されることを特徴とする帳票打ち出し可能な入退場管理システムとしてもよい。
【０００９】
ところで、前記出力装置が出力する帳票には、労働基準法や労働安全衛生法に基づく、労働者賃金支払報告書、新規入場者教育カード、入場時教育台帳、安全ミーティング危険予知活動報告書及び死傷統計表等を含ませると好適である。
また、建築、土木現場や一般事業所等内の複数箇所に、前記入退場ゲートが設けられることで、各セクションへの人の流れの管理や安全管理が可能に構成してもよい。
なお、前記入退場者は、人間に限らず各種車両としてもよく、その場合には、車両の外側面に、前記バーコードを付すなどすればよい。これにより、ダンプ等の運行管理等も容易にできる。
【００１０】
【発明の実施の形態】
以下、この発明の帳票打ち出し可能な入退場管理システムについて、さらに詳細に説明する。
【００１１】
図１は、この発明の入退場管理システムの第１実施例を示す概略図である。
この実施例のシステムは、建設業の工事現場事業所への入退場、隧道やシールド現場作業場への入出坑、及び建築現場作業場への入退場などをヘルメット１に貼ったバーコード（個人識別標識）２を自動的に読み取ることによって把握し、その入退場の履歴情報を応用して、就労、労務及び安全管理をも行うことのできるシステムとされている。
【００１２】
この実施例のシステムは、複数台のタッチパネル３，３…と、入退場者に固有のバーコード２を読み取るバーコードリーダー４とでデーターが入力され、それらをＰＬＣ（プログラマブルコントローラ）５，６やインターフェイス７を介してパソコン８にリンクさせ、パソコン８で入退場者の識別と、その入退場時間とを自動的に把握し、さらにそれら入退場履歴に基づいて各種の管理ができるよう構成されている。
【００１３】
入退場は、バーコードリーダー４等の各種センサーが設けられた入退場ゲート９を介して行われる。つまり、入退場ゲート９は、建設工事現場等の出入口に設置され、この入退場ゲート９を通過することで建設工事現場等に出入りが可能とされる。この実施例の入退場ゲート９には、２つのエリアセンサー１０，１１、バーコードリーダー４、及びバーコードリーダー照射タイミングセンサー１２が設置されている。
【００１４】
エリアセンサー１０，１１は、入退場者の有無を検知する検出器（入退場検出器）であり、入退場ゲート９の入口と出口付近にそれぞれ設けられている。この実施例では、各エリアセンサー１０，１１として、例えば赤外線や超音波等を利用したものが使用される。具体的には例えば、入退場ゲート（入退場通路）９の入口と出口の各幅方向両端部に、それぞれ発光器１０ａ（１１ａ）と受光器１０ｂ（１１ｂ）とを向かい合わせて設置し、赤外線等がゲート９内の通路を幅方向に横切るように構成する。よって、作業者がゲート９を通過する際には、赤外線等を横切ることになり、これにより入退場者を検知することができる。
【００１５】
バーコードリーダー４は、入退場者のヘルメット１等に貼られたバーコード２を非接触で読み取るものである。バーコードリーダー４の設置位置は、入退場者のバーコード２の取付位置に応じて最適位置が選択されるのは言うまでもないが、この実施例のように入退場者のヘルメット１の側面に貼るよう規定した場合には、図示のように、入退場ゲート９の中央部付近の上方位置に設けられる。なお、バーコード２は、後述するように、各作業者に固有のものであり、それ故、バーコード２を読み取ることで、入退場者が誰かを特定することが可能とされる。
【００１６】
本実施例のバーコードリーダー４は、非接触で比較的長距離（例えば約１．２ｍ）でも読み取り可能なレーザー式のものが使用され、例えば株式会社キーエンス製のレーザ式バーコードリーダＢＬ−７００シリーズが好適に使用される。レーザー式バーコードリーダーを使用するため、他からの電気的ノイズを一切受けず、個人の識別と、入退場時間とを正確に把握可能なシステムを構築できる。つまり、光の照射によりバーコードを読み取る非接触式長距離バーコードリーダーを使用しているため、ノイズによる誤動作は皆無である。しかも、長距離検知可能であるため、バーコードを本実施例のようにヘルメット等に貼ったり、また後述するようにダンプ等の車両の運行管理にも容易に適用可能である。
【００１７】
また、バーコードリーダー４には、バーコード２の欠損や汚れ等に影響を受けないものが好適に使用される。すなわち、バーコードリーダー４は、バーコード２に汚れ等がある場合でも、バーコード上のいずれかの部分で、バーコード２の各線と直角方向の線のレーザーを当てて読み取り可能ならば足りる。よって、建設工事現場のヘルメット１等の比較的汚れ易い部分にも不都合なく使用でき、しかもバーコードシールは比較的安価に製作できるので、必要に応じて貼り替えも容易である。
【００１８】
なお、バーコード２には、後述するように、耐水性のシートが使用されるので、比較的長期間の使用にも耐えることができる。また、紛失した時の再発行の場合においても、パソコン８に接続されているプリンター１３で即座に再発行することができ、バーコード２の定期的保守管理が不要である。
【００１９】
バーコードリーダー４からの光は、例えばゲート９の上方隅部から、斜め下方に、末広がりの面状に投射される。これに伴い、各作業者は、バーコード２の各線が水平方向に向くようにしてバーコードシールをヘルメット１の側面に貼ることになる。なお、従来のように、発信器付きカードを作業者に携帯させる方法では、作業者がカードの携帯を忘れるおそれがあるが、建設現場等においては、ヘルメット１が入場に不可欠なのであるから、それにバーコード２を貼ることでこのような不都合も解消される。
【００２０】
バーコードリーダー４を図示例のように、入退場通路（入退場ゲート）９の幅方向に１個だけ設置する場合には、入場及び退場の双方でバーコード２の読み取りを可能にするために、ヘルメット１の左右両部にそれぞれバーコード２，２を貼り付けることになる。
【００２１】
なお、バーコードリーダー４は入退場通路９の幅方向両端部に設置してもよく、その場合には、バーコード２はヘルメット１の左右のいずれか一方にだけ付けておけば足りる。しかも、この場合には、ヘルメット１の左右方向一方のいずれか特定の側にバーコード２を付けるよう規定しておけば、いずれのバーコードリーダー４で読み取るかによって、作業者の入場ないし退場のいずれかも把握することができる。すなわち、例えば、図２に示すように、ヘルメット１の左側にバーコード２を付けるよう決めておけば、入場時には向かって左側のバーコードリーダー４ａによってバーコード２が読み取られる一方、退場時には反対側のバーコードリーダー４ｂによってバーコード２が読み取られ、入退場者の識別だけでなく、いずれのバーコードリーダー４ａ，４ｂによって読み取ったかによって入場又は退場をも判別することができる。
【００２２】
バーコードリーダー４は、常時照射させておくことも可能であるが、その寿命時間を考慮して、入退場ゲート９を作業者等が通過する際にだけ作動させるよう構成するのが好適である。つまり、作業者がバーコードリーダー４の読み取り範囲付近を通過するのに合わせて、バーコードリーダー４を作動させるのがよい。図１の例では、入退場ゲート９の中央部付近に、バーコードリーダー照射タイミングセンサー１２を設置して対応している。
【００２３】
この実施例の照射タイミングセンサー１２は、前記エリアセンサー１０，１１と同様、赤外線や超音波式等の物体検知器が使用される。具体的には、入退場ゲート９の中央部付近の幅方向両端部に、それぞれ発光器１２ａと受光器１２ｂとを設置し、赤外線等がゲート内の通路を幅方向に横切るように構成する。しかも、通路方向に沿って細長く配置されており、作業者がこの照射タイミングセンサー１２を通過している間中、バーコードリーダー４からレーザーが照射されるよう構成している。つまり、照射タイミングセンサー１２の長さは、バーコードリーダー４がバーコード２を読み取るのに必要十分な長さに設定されている。
【００２４】
バーコードリーダー４やエリアセンサー１０，１１の信号は、第１ＰＬＣ５及び第２ＰＬＣ６の２つのプログラマブルコントローラと、インターフェース７を介してパソコン８に送られる。なお、２つのＰＬＣ５，６同士は、多重伝送ラインで接続されている。
【００２５】
また、インターフェース７として、この実施例では、例えば株式会社キーエンス製のリアルタイムＦＡデータ収集ツールＸＬ−２００が好適に使用される。このＦＡデータ収集ツール７の場合、比較的簡単に、センサーの情報をパソコン８に取り込むことができ、パソコン８の汎用表計算ソフト等での処理も容易に行うことができる。
【００２６】
パソコン８は、主として制御装置１４として機能するものであり、内部（及び外部）に記憶装置（メモリ）１５を備えると共に、表示装置としてディスプレイ１６、入力装置としてキーボード１７、出力装置としてプリンター１３が接続されてなる。なお、制御装置１４は、各種信号処理の他、その他の各装置を制御する。
【００２７】
パソコン８は、入退場ゲート９の入口と出口に設けた一対のエリアセンサー１０，１１の検出順序によって、入場又は退場のいずれかを判別する。つまり、入場と退場の判別は、入退場ゲート９の入口付近と出口付近とに設けられているエリアセンサー１０，１１によって行われ、この一対のエリアセンサー１０，１１のいずれを先に横切るかによって判別される。入場する際には、入口側エリアセンサー１０を先に横切るはずだし、退場する際には、建設現場側の出口側エリアセンサー１１を先に横切るはずだからである。
【００２８】
また、パソコン８は、入退場者情報や入退場情報（入退場の履歴情報）の収集や、それに基づく各種演算、及びそれらの出力を行う。すなわち、バーコードリーダー４からの入退場者識別信号（バーコード読取信号）により、メモリ１５に保存されている入退場者情報と照合して、入退場者を特定する。そして、入場と判断した場合には、入場者とその日付及び時刻を記録すると共に、必要に応じてディスプレイ１６に所定の表示を行う。また、退場と判断した場合にも、その退場者と退場の日付及び時刻をメモリ１５に記憶する。なお、ディスプレイ１６では、例えば、最新の入退場情報を１００件程度、画面に表示される。
【００２９】
パソコン８は、また、入退場者情報のメンテナンスや一覧表等の出力を行う。例えば、入退場者毎に登録されている名前、会社名、資格、職種、生年月日等の入退場者情報を、キーボード１７の操作により修正、削除できる。また、場合により、入退場者情報をキーボード１７操作により追加登録できる。さらに、入退場者情報を適宜、ディスプレイ１６やプリンター１３に出力できる。
【００３０】
パソコン８は、さらに、各種日報、月報、一覧表の他、法令に基づいた帳票等を作成し、必要に応じてディスプレイ１６やプリンター１３に出力できる。
【００３１】
これら書類の内、日報、月報及び一覧表には、例えば、以下のものが含まれる。
（１）現在、場内にて作業している就労者リスト
（２）現在、坑内に入坑している入坑者リスト
（３）入退場の時間と就労時間の個人日報
（４）入出坑の入坑時間と出坑時間の個人日報
（５）個人別就労時間の月報
（６）業者別の就労時間の日報と月報
（７）個人マスターの一覧
【００３２】
また、法令に基づいた帳票には、例えば、労働基準法、労働安全衛生法に基づく、労働者賃金支払報告書、新規入場者教育カード、入場時教育台帳、毎日の安全ミーティング危険予知活動報告書、及び死傷統計表などが含まれる。なお、図４から図８には、これら各帳票の一例が示されており、これらの用紙の空欄に可能な限りのデーターを書き込んだ状態で出力されることになる。
【００３３】
前記第２ＰＬＣ６には、タッチパネル（入力装置）３が接続されており、その入力結果は、第２ＰＬＣ６とインターフェース７を介してパソコン８に送られる。
【００３４】
タッチパネル３は、入退場ゲート９を通過するために必要なバーコード２を作成する前段階として、入退場者情報を入力するためのものであり、好ましくは複数台の同時入力が可能に設けられている。なお、タッチパネル３として、本実施例では、例えば富士電機株式会社製のプログラマブル操作表示器ＰＯＤ  ＵＧ２０シリーズが使用される。
【００３５】
タッチパネル３は、これまで新規入場者教育カード等に手書きしていた内容を入退場者情報として入力するためのものであり、所属会社名、個人名、生年月日、血液型、保有資格や免許等の他、場合により作業経験や健康状態などの必要項目が入力可能に構成されている。タッチパネル３の入力画面は個人マスター入力専用画面とされており、画面をタッチすることで、ＰＬＣ等を介してパソコン８にデーターが転送され、記憶、登録されることになる。つまり、タッチパネル３からの入力信号は、第２ＰＬＣ６とインターフェース７とを介してパソコン８に送られ、入退場者情報として記憶装置１５に記憶されると共に、適宜、制御装置１４の制御によって、表示装置１６や出力装置１３に出力される。
【００３６】
具体的な入力操作は、タッチパネル３上に表示される選択ボタンに指で触れることで行われる。例えば、血液型の場合には、画面上に、「Ａ型」、「Ｂ型」、「Ｏ型」及び「ＡＢ型」と表示されるので、作業者はそのいずれか該当するものを選択するだけでよい。また、資格等についても、「クレーン運転免許」、「普通自動車」、「玉掛技能」等と表示されるので、それらから該当するものを選択するだけでよい。なお、氏名については、五十音表から片仮名等で１文字ずつ選択することで、入力可能とされており、また生年月日や年齢は、数字を選択して入力可能とされている。
【００３７】
このように、原則的に、作業者は画面上から該当する項目を選択するだけでよいので、操作に熟練を要さずに、誰でも簡単に操作することができる。しかも、１入力１画面を基本とすることで、一層操作性を向上させることができる。すなわち、血液型の選択画面と、資格等の選択画面とをそれぞれ別個にして、１つの項目を入力したら次の項目に進むように構成しておき、全ての項目を入力した後、最終的に、選択した全ての事項が１画面に表示され、監督者が確認した後、その内容を確定させるよう構成する。
【００３８】
次に、この実施例の入退場管理システムの使用状態について、説明する。
ここでは、建設工事現場や建築現場、坑道等の出入口として使用した場合について説明する。
この場合、図１に示すように、建設工事現場等の出入口に、入退場ゲート９を設置する一方、事務所等管理室１８に、タッチパネル３やパソコン８やプリンター１３等を設置する。
【００３９】
まず、この現場に初めて入場しようとする者は、前記管理室１８にて、タッチパネル３を操作して自己の登録を行う。すなわち、新規入場者教育カード等に従来記入していた内容をタッチパネル３を用いて入力する。上述したように、タッチパネル３では、原則的に該当項目をタッチして選択するだけでよいので、誰でも簡単に操作できる。しかも、複数台のタッチパネル３，３…を同時使用可能に接続しておくことにより、多数の新規入場者にも容易に対応することができ、従来の１台のキーボード入力と比較して作業性が著しく改善される。
【００４０】
タッチパネル３で入力された入場者の氏名や資格、健康状態等に関する入退場者情報は、最終的に監督者等の確認を経て確定され、第２ＰＬＣ６を介してパソコン８に転送され、登録される。そして、登録されると直ちに、その人に固有のバーコード２がレーザープリンター１３により自動的に打ち出される。バーコード２は、耐水性のシートに印刷されて出力され、このシートの裏面には粘着層が設けられ、一時的に剥離紙に仮接着された状態で出力される。しかも、上述したとおり、本実施例では、ヘルメット１の左右両部に貼る必要があるので、同じバーコード２を印刷したシールが２枚出力されることになる。なお、はっ水性シール等に、個人名入りのバーコードを印刷する構成とすれば、個人名が入っているので、ヘルメットの識別が容易になる。
【００４１】
作業者は、そのバーコードシール２を受け取り、裏面の剥離紙を剥がして、ヘルメット１の左右両部にそれぞれ貼り付ける。なお、その際、バーコード２の各線が水平方向に沿うようにして貼り付ける。そして、これ以後は、入場及び退場時のバーコードリーダー４によるバーコード２の自動読み取りがなされ、ＰＬＣ５，６とＦＡデーター収集ツール７を介してパソコン８に転送された信号に基づいて、入退場の把握と、それに基づく各種の就労、労務及び安全管理が行われることになる。
【００４２】
例えば、バーコード２を貼ったヘルメット１をかぶった作業者が、入退場ゲート９を介して建設現場等に入場する際には、入口側のエリアセンサー１０を横切ることで、入場が把握される。また、バーコードリーダー照射タイミングセンサー１２を横切っている間、バーコードリーダー４からレーザーが照射され、その間に、ヘルメット１に貼ったバーコード２が読み取られる。バーコードリーダー４の信号は、まず第１ＰＬＣ５に送られ、その後、第１ＰＬＣ５より、第２ＰＬＣ６へ多重伝送リンクユニットで転送され、さらに第２ＰＬＣ６より、インターフェース７を介して、パソコン８にデーターが送られる。そして、パソコン８内の入退場管理ソフトにて、各種のデーター処理が行われ、就労管理等に利用される。
【００４３】
一方、退場する場合には、出口側のエリアセンサー１１を横切ることで、退場が把握され、また、バーコードリーダー照射タイミングセンサー１２によって作動されたバーコードリーダー４によってバーコード２が読み取られ、その信号がパソコン８に送られて、退場とその時刻等が把握される。
【００４４】
なお、入退場ゲート９は、一度に多数人が重なって入退場しないように、入退場ゲート９に扉や開閉バー等を設けておき、この扉等をエリアセンサー１０，１１等の信号で自動開閉させ、一人ずつ通過させるようにしてもよい。また、エリアセンサー１０，１１又は照射タイミングセンサー１２がオンとされたのに、バーコードリーダー４がバーコード２を読み取らなかった場合に備えて、ランプやブザー等からなる警報装置を設置しておくのが好ましい。警報装置を設置しておけば、登録をしていない第三者が、バーコード２なしに勝手にゲート９を通過することを防止することもできる。なお、第三者の無断進入等の情報を管理室１８でパソコン８にて把握できるよう構成すれば好適である。
【００４５】
エリアセンサー１０，１１やバーコードリーダー１２からの信号を受け取ったパソコン８は、バーコード２から入退場者を特定し、入場又は退場と、その入退場時間とをメモリ１５に記憶、蓄積すると共に、必要に応じてディスプレイ１６等に出力する。
【００４６】
また、パソコン８では、必要に応じて、各種日報や月報等の集計表や一覧表の他、社内規定様式や、法令に基づいた帳票等が作成され、ディスプレイ１６やプリンター１３に出力する。本システムでは、労働基準法や労働安全衛生法に基づく、労働者賃金支払報告書、新規入場者教育カード、入場時教育台帳、安全ミーティング危険予知活動報告書、及び死傷統計表等に、可能な限りのデーターを自動的に記入した状態でプリントアウトすることができるよう構成されている。
【００４７】
例えば、入場時教育台帳は、番号、業者及び職種、氏名、年齢、健康状態等の必要部分を入力された状態で、プリントアウトされる。
また、安全ミーティング危険予知活動報告書の場合、年月日を入力することで、自動的に所望の作業者名簿及び作業員数が埋められた状態で出力される。
さらに、労働賃金支払報告書の場合、年月を入力することで、自動的にその年月の入出坑情報から職種、作業者、出勤簿及び稼働日数を算出し出力される。
【００４８】
なお、各種帳票の作成は、所定フォームの該当箇所を埋めた帳票全体を白紙用紙に出力してもよいし、予め所定フォームが印刷された用紙の該当箇所に、必要部分を上書きするようプリントするよう構成してもよい。そして、プリントアウトされた帳票には、必要に応じて、不足部分の記入や捺印がなされて、保管等される。
【００４９】
本システムでは、バーコードシート２は安価で容易に発行でき、またソフトウェアとしては市販のアプリケーションソフトを使用することができる。よって、システム全体のコストの低減を図ることができ、また構成機器の保守管理の負担も軽減される。しかも、比較的容易に帳票の変更も可能である。さらに、パソコン８を使用することで、労務事務処理経費も削減することができる。よって、システムの導入と運用に関するトータルコストを著しく削減することができる。
【００５０】
上記第１実施例の入退場管理システムでは、建設工事現場等への出入りの把握と、それに伴う就労、労務並びに安全管理に適用した例について説明したが、この発明のシステムは、一般的タイムカードに代えて、一般事業所への出勤ないし退社を把握し、就労や労務管理等に役立てることも可能である。
【００５１】
ところで、上記第１実施例では、入退場ゲート９にバーコードリーダー照射タイミングセンサー１２を設置して、バーコードリーダー４の読み取り範囲付近の入退場者の通過に合わせてバーコードリーダー４を作動させる形式であったが、図９に示すように、バーコードリーダー照射タイミングセンサー１２を省略してもよい。この場合、入退場検出器１０，１１が入退場者を検出してから一定時間（バーコードリーダー４付近を通過するのに必要な時間）だけ、バーコードリーダー４を作動させるよう構成すればよい。
【００５２】
図３は、この発明の入退場管理システムの第２実施例を示す概略図であり、会社への出退勤の把握と、就労や労務管理に適用した例を示している。
この実施例のシステムは、一般事業所での出社と退社時に提示されたバーコード（個人識別標識）２を自動的に読み取って、パソコン８で就労や労務管理等を行うためのものである。
この実施例のシステムも、基本的には前記第１実施例のシステムと同様の構成であるので、以下では主として第１実施例と異なる部分を中心に説明する。
【００５３】
この実施例では、受付ないし管理室１８等を通って、会社や工場等への出入りが行われる。従来、管理室１８等では、社員はタイムカードを押し、また、外来者や下請業者は入門カード等へ書き込んだりして、出入りが管理されていた。これに対して、本実施例のシステムでは、タッチパネル３やバーコード２及びパソコン８等を利用して入退場を管理する。
【００５４】
本実施例では、受付前に、入退場通路（入退場ゲート）９を設けておき、その入退場通路９を通過することで、入場ないし退場の別と、入退場者の識別が行われる。すなわち、入退場通路の入口と出口付近のそれぞれに、入退場検出器１０，１１を設置しておく。例えば、入口及び出口の各床下にリミットスイッチ１０ｃ，１１ｃを設置しておき、入退場通路９の上を人が歩くことにより、その重量で、リミットスイッチ１０ｃ，１１ｃがオンになるよう構成しておく。
【００５５】
また、本実施例では、バーコードリーダー照射タイミングセンサー１２を省略し、前記リミットスイッチ１０ｃ，１１ｃが入った時点から一定時間（バーコードリーダー４付近を通過するのに必要な時間）だけ、バーコードリーダー４を作動させるよう構成している。
【００５６】
さらに、この実施例の場合、タッチパネル３は第１ＰＬＣ５に接続されている。そして、タッチパネル３やバーコードリーダー４、リミットスイッチ１０ｃ，１１ｃの各信号は、多重伝送ラインを介して第２ＰＬＣ６に送られ、さらにインターフェース７を介してパソコン８に転送されるよう構成されている。
【００５７】
そして、本実施例では、受付（管理室）１８に、リミットスイッチ１０ｃ，１１ｃを備える入退場通路９や、バーコードリーダー４、及び少なくともタッチパネル３を設置して使用する。パソコン８やプリンター１３は、受付１８内に配置してもよいし、社内の他の箇所に設置してもよい。
【００５８】
本実施例のシステムは、上記のような構成であるから、まず、新規に入場しようとする者は、受付１８にてタッチパネル３を操作して、所定の情報を入力して登録を受け、バーコード２をもらう。本システムの場合、外来者や下請業者等の新規入場者は、タッチパネル３を操作することで、そのデーターはすぐにパソコン８に転送されて管理されると共に、即座にプリンター１３からバーコード２が出されるので、各種手続や管理がスムーズに進行される。
【００５９】
バーコード２は、工場への出入りの場合には、前記第１実施例のようにヘルメット１に付けてもよいが、会社への出入りの場合には、社員証等の所定のカードに貼り付けて使用することが可能である。この場合には、受付１８等でバーコードリーダー４にバーコード付カードを差し込む等して読み取りさせる。
【００６０】
いずれにせよ、バーコード２を所持した人物が、入退場通路９を通過して入場しようとすると、まず入口側リミットスイッチ１０ｃによって、入場が検知される。また、入場者が提示したバーコードがバーコードリーダー４によって読み取られる。なお、入口側リミットスイッチ１０ｃのオンに伴って、バーコードリーダー４を所定時間だけ作動させてもよい。そして、パソコン８においては、その入退場の別と、入場者や、入場の日付と時刻等が記録される。
【００６１】
一方、退場しようとする場合には、まず出口側リミットスイッチ１１ｃによって、退場が検知される。また、バーコードリーダー４によって、退場者が提示したバーコードが読み取られ、退場者や退場時刻等が把握される。
【００６２】
パソコン８では、バーコードリーダー４等からの信号と、入退場者情報に基づいて、各人の入出勤を把握でき、その情報から労務管理等も行うことができる。例えば、出退勤の履歴情報に基づいて、給料計算が行われ、プリンター１３で各人の給料明細や各種税務書類等を出力することができる。
【００６３】
上記各実施例より明らかなように、本システムを使って自動化することにより、特に建設業の現場事務所での就労、労務、安全の状況が即座に把握でき、管理のための事務処理も軽減される。よって、時間の余裕ができ、現場パトロールのような、人に頼らなければならない管理により多くの時間を費やすことができる。
また、一般事業所への就労者の出社と退社の自動管理もでき、出勤簿の作成や賃金台帳をダイレクトにプリントアウトすることができ、管理コストの低減を図ることができる。しかも、外来者や下請業者の入退場も自動的に管理することができる。
【００６４】
このように、本システムの構成機器によるコストダウンと、システムの保守管理の軽減による事務処理経費のコストダウンとの二重のコストダウンにより、全体として大幅なコストダウンを実現することができる。
【００６５】
なお、本発明の帳票打ち出し可能な入退場管理システムは、上記実施例の構成に限らず、適宜変更可能である。
例えば、上記各実施例では、入退場ゲート（入退場通路）９を１つだけ設けた例について説明したが、入退場ゲート９は複数設けてもよい。その場合には、複数のゲート９，９…を並列的に配置して、複数箇所から出入りできる構成としてもよいし、複数のゲート９，９…を直列的に配置して、建設現場等の内部のどのエリアにいるのかを把握するよう構成してもよい。例えば、場内と坑内とを区別できるように、直列的に設置してもよい。また、長いトンネル内の作業等の場合に、複数箇所にバーコードリーダーを設けることにより、各セクションへの人の流れの管理や安全管理が可能となり、万一のトラブルや事故の際の対応が迅速に行える。
【００６６】
さらに、上記実施例では、一つの入退場ゲート９で入場と退場との双方を行う例について説明したが、入場専用のゲートと退場専用のゲートとを分けて設置してもよい。その場合には、入退場検出器１０，１１の一方を省略することができる。例えば、入場専用のゲートでは、出口側のセンサー１１を省略することができる。
【００６７】
また、上記実施例では、初期の個人データーの入力をタッチパネルにて行う例について説明したが、タッチパネルに限らず、スキャナーや、マークシートや、音声等により入力するよう構成してもよい。さらに、バーコードは、バーコードシールを貼る以外に、直接ヘルメット等にバーコードを印字するよう構成してもよい。
【００６８】
その上、バーコードは、ヘルメットに限らず、服等に取り付けてもよい。作業服にバーコードを付する場合にも、ヘルメットの場合と同様、作業服が作業に必要不可欠なものであるから、カードの場合のように忘れるおそれがない。なお、この場合の構成は特に問わないが、例えばポリアクリロニトリル製の糸を縞状に織り込んでバーコードを形成する。その特殊な糸は、ランプ等で加熱すると特定の波長の赤外線を発するので、その赤外線を専用装置で検出すればよい。
【００６９】
さらに、本システムは、建築・土木現場や、一般事業場等に限らず適用可能である。例えば、国際見本市会場等のブースベースでの顧客管理等にも利用することができる。
【００７０】
また、上記実施例では、主として人間にバーコードを携帯させる例について説明したが、バーコードをトラック等の各種車両につけて、その車両の動きを把握するシステムを構築することもできる。つまり、各車両に固有のバーコードを作成し、そのバーコードを車両の側面等に貼って運行させ、建設現場等の入退場ゲートを通過する際に、そのバーコードを読み取ることで車両の入退場をパソコンで監視するのである。また、入退場履歴情報から各種日報や月報等を作成できる点も、前記各実施例の場合と同様である。
なお、車両用のシステムを、前記各実施例の作業員用のシステムと共に使用してもよい。すなわち、作業員用の入退場ゲートによって作業員の入退場を把握すると共に、車両用の入退場ゲートによって車両の運行を把握することもできる。
【００７１】
【発明の効果】
以上詳述したように、この発明の入退場管理システムによれば、音波や電波を利用した発信器や受信器を使用しないので、電気的ノイズの影響を受けず、誤動作なく正確に運用することができる。
また、各入退場者は、バーコードを所定箇所に貼るだけでよく、バーコードは電源電池が不要であり、定期的保守管理も不要にでき、著しいコストの削減を図ることができる。
【００７２】
さらに、タッチパネル等から入退場者自身が入力する構成とすれば、キーボードに不慣れな者も、容易に入力でき、しかもタッチパネル等は複数台設置できるので、キーボードの場合に比べて作業効率が向上する。
【００７３】
その上、労働基準法や労働安全衛生法に基づく各種書類に、可能な限りデーターを記入した状態でプリントアウトするよう構成すれば、管理者及び就労者双方の書類作成の手間を著しく軽減でき、また記入ミスや計算ミス等の発生を未然に防止できる。
【図面の簡単な説明】
【図１】この発明の帳票打ち出し可能な入退場管理システムの第１実施例の概略を示す図である。
【図２】図１の入退場ゲート部分の変形例を示す平面図である。
【図３】この発明の帳票打ち出し可能な入退場管理システムの第２実施例の概略を示す図である。
【図４】法令に基づいた帳票の一例（労働者賃金支払報告書）であり、データー記入前の状態を示している。
【図５】法令に基づいた帳票の一例（新規入場者教育カード）であり、データー記入前の状態を示している。
【図６】法令に基づいた帳票の一例（入場時教育台帳）であり、データー記入前の状態を示している。
【図７】法令に基づいた帳票の一例（安全ミーティング危険予知活動報告書）であり、データー記入前の状態を示している。
【図８】法令に基づいた帳票の一例（死傷統計表）であり、データー記入前の状態を示している。
【図９】図１の入退場管理システムの変形例を示す図である。
【符号の説明】
１    ヘルメット
２    バーコード
３    入力装置（タッチパネル）
４    バーコードリーダー
５    第１ＰＬＣ（プログラマブルコントローラ）
６    第２ＰＬＣ（プログラマブルコントローラ）
７    インターフェース（ＦＡデータ収集ツール）
８    パソコン
９    入退場ゲート
１０，１１  入退場検出器
１０ｃ，１１ｃ    リミットスイッチ
１２    バーコードリーダー照射タイミングセンサー
１３    出力装置（プリンター）
１４    制御装置
１５    記憶装置
１６    表示装置（ディスプレイ）
１７    キーボード
１８    管理室等
【図１】
0005036928.tif 000002
【図２】
0005036928.tif 000003
【図３】
0005036928.tif 000004
【図４】
0005036928.tif 000005
【図５】
0005036928.tif 000006
【図６】
0005036928.tif 000007
【図７】
0005036928.tif 000008
【図８】
0005036928.tif 000009
【図９】
0005036928.tif 000010